(57)【要約】【課題】記録紙に印画濃度が十分に満たされる染料の濃度において、プリンタの一時停止および長期停止などにおいてインクジェットプリンタヘッドの目詰まりを防止でき、万一目詰まりが生じた場合でも良好な回復性（再吐出）を示す、保存安定性に優れたインクジェット記録用インクを提供する。【解決手段】染料と水とを含有するインクジェット記録用インクに、式（１）【化１】2004059760.tif 000015（式中、Ｒはメチル基又はＨ（ＯＣＨ２ＣＨ２）ｐＯ−基であり、ｌとｍとｎとｐとの和は３０〜６０の数である。）のトリメチロールメタン誘導体を含有させる。式（１）のトリメチロール誘導体の含有量は、１〜２５重量％が好ましい。このインクジェット記録用インクは、サーマル方式又はピエゾ方式のインクジェットヘッドの吐出ノズルから記録紙に吐出させて画像を形成するインクジェット記録方法に好ましく適用できる。【選択図】　なし【特許請求の範囲】
【請求項１】
染料と水とを含有するインクジェット記録用インクにおいて、式（１）
【化１】
2004059760.tif 000013
（式中、Ｒはメチル基又はＨ（ＯＣＨ２ＣＨ２）ｐＯ−基であり、ｌとｍとｎとｐとの和は３０〜６０の数である。）
のトリメチロールメタン誘導体を含有することを特徴とするインクジェット記録用インク。
【請求項２】
式（１）の置換基Ｒがメチル基である請求項１記載のインクジェット記録用インク。
【請求項３】
式（１）の置換基ＲがＨ（ＯＣＨ２ＣＨ２）ｐＯ−基である請求項１記載のインクジェット記録用インク。
【請求項４】
式（１）のトリメチロール誘導体の含有量が、１〜２５重量％である請求項１記載のインクジェット記録用インク。
【請求項５】
染料と水とを含有するインクジェット記録用インクを、インクジェットヘッドの吐出ノズルから記録紙に吐出させて画像を形成するインクジェット記録方法において、該インクジェット記録用インクとして、式（１）
【化２】
2004059760.tif 000014
（式中、Ｒはメチル基又はＨ（ＯＣＨ２ＣＨ２）ｐＯ−基であり、ｌとｍとｎとｐとの和は３０〜６０の数である。）
のトリメチロールメタン誘導体を含有するものを使用することを特徴とするインクジェット記録方法。
【発明の詳細な説明】
【０００１】
【発明の属する技術分野】
本発明は、染料と水とを含有するインクジェット記録用インクに関し、特に、良好な保湿性を示すインクジェット記録用インクに関する。
【０００２】
【従来の技術】
従来より、染料と水とを含有するインクジェット記録用インクに対しては、（ｉ）記録に必要な十分な印画濃度を与えること、（ｉｉ）プリンタヘッドのノズルで乾燥固化しにくく、ノズルに目詰まりを発生させにくいこと等が強く求められている。
【０００３】
（ｉ）の印画濃度に関する要請に対しては、インクジェット記録用インク中に溶解させる染料の濃度を高めるという手段が一般に取られている。これにより、ピコリットルオーダーという極めて少量のインクでも、必要な濃度の画像を形成させることが可能となる。
【０００４】
また、（ｉｉ）のノズル目詰まりに関する要請に対しては、保湿性の高い多価アルコール系有機溶剤をインクジェット記録用インク中に含有させることによりインクの蒸発乾燥を防止するという手段がとられている。
【０００５】
【発明が解決しようとする課題】
しかしながら、インクジェット記録に用いられるインクジェットプリンタ装置のインク吐出ノズル径が非常に微細なもの（数十μｍ）であるため、プリンタ装置の印画停止時等において、吐出ノズル先端でインク溶媒の蒸発が非常に速く、インク中の固形分である染料が析出してノズル目詰まりが生じるという問題があるが、（ｉ）の印画濃度に関する要請に応えるために、インクジェット記録用インク中の染料濃度を高くした場合には、ノズル目詰まりがなおいっそう生じ易くなるという問題がある。
【０００６】
一方、（ｉｉ）のノズル目詰まりに関する要請に応えるために、保湿性の高い多価アルコール系有機溶剤をインクジェット記録用インク中に含有させた場合、プリンタ装置を長期停止した時あるいは高温環境下で放置した時には、これらの多価アルコール系有機溶剤と言えども蒸発し、ノズル吐出口で染料の析出が避けられず、ノズル目詰まりの回復性が非常に劣ったものになるという問題がある。
【０００７】
これに対して、グリセリンなどの保湿性が高い湿潤剤を、インクジェット記録用インク中に多量に併用することが試みられているが、多量の湿潤剤の併用は、インクジェット記録用インクの粘度上昇を招き、吐出性能を低下させるだけでなく、インクジェット記録における記録紙の単位面積あたりの湿潤剤の量が多くなるために、インクジェット記録用インクが記録紙へ浸透し難くなり、しかも乾燥し難くなるという問題がある。このため、界面活性剤などを添加してインクジェット記録用インクの表面張力を低下させ、浸透性および乾燥性を改善させることも行われているが、その添加効果を十分に発揮する量で用いると、記録紙上でもドットの不規則なにじみ、フェザリングと呼ばれる現象が多く発生するという問題がある。
【０００８】
本発明の目的は、従来の技術の問題を解決することであり、記録紙に印画濃度が十分に満たされる染料の濃度において、プリンタの一時停止および長期停止などにおいてインクジェットプリンタヘッドの目詰まりを防止でき、万一目詰まりが生じた場合でも良好な回復性（再吐出）を示す、保存安定性に優れたインクジェット記録用インクを提供することである。
【０００９】
【課題を解決するための手段】
本発明者らは、インクジェット記録用インクに、吸湿性の高い常温で固体の特定のトリメチロールメタン誘導体を含有させることにより、インクジェット記録用インクの蒸発固化を抑制でき、また、万一吐出ノズル先端のインクジェット記録用インク中の揮発性の液体成分が蒸発してしまった場合でも、染料がそのトリメチロールメタン誘導体とともに残存するため、染料の強固な凝集析出が緩和され、しかも、残存物に高い吸湿性を有するトリメチロールメタン誘導体が含まれているために、ノズル目詰りの回復性が非常に改善されることを見出し、本発明を完成させた。
【００１０】
即ち、本発明は、染料と水とを含有するインクジェット記録用インクにおいて、式（１）
【００１１】
【化３】
2004059760.tif 000002
（式中、Ｒはメチル基又はＨ（ＯＣＨ２ＣＨ２）ｐＯ−基であり、ｌとｍとｎとｐとの和は３０〜６０の数である。）
のトリメチロールメタン誘導体を含有することを特徴とするインクジェット記録用インクを提供する。
【００１２】
また、本発明は、染料と水とを含有するインクジェット記録用インクを、インクジェットヘッドの吐出ノズルから記録紙に吐出させて画像を形成するインクジェット記録方法において、該インクジェット記録用インクとして、式（１）のトリメチロールメタン誘導体を含有するものを使用することを特徴とするインクジェット記録方法を提供する。
【００１３】
【発明の実施の形態】
以下、本発明を詳細に説明する。
【００１４】
本発明は、少なくとも染料と水とを含むインクジェット記録用インクであり、高い吸湿性を有する常温で固体の式（１）のトリメチロールメタン誘導体を含有することを特徴とする。このトリメチロールメタン誘導体を含有させることにより、インクジェット記録用インク中に染料を従来より比較的多量に配合したとしても、記録紙に印画濃度が十分に満たされる染料の濃度において、インクジェットプリンタの一時停止および長期停止などにおいてインクジェットプリンタヘッドの目詰まりを防止でき、万一目詰まりが生じた場合でも良好な回復性（再吐出）を示すものとなる。また、このトリメチロールメタン誘導体は、染料等に対し反応性がなく、インクジェット記録用インクの保存安定性に悪影響を与えないものである。
【００１５】
式（１）のトリメチロールメタン誘導体において、Ｒはメチル基又はＨ（ＯＣＨ２ＣＨ２）ｐＯ−基である。また、ｌとｍとｎとｐとの和は３０〜６０の数である。
【００１６】
本発明において、式（１）のトリメチロールメタン誘導体のインクジェット記録用インク中の含有量は、少なすぎるとインクジェット記録用インクの溶媒成分の蒸発防止効果が不十分であり、しかも、吐出ノズル先端でインクジェット記録用インク中の溶媒成分が蒸発した場合に染料の強固な凝集析出を十分に緩和することができず、逆に多すぎるとインクジェット記録用インクの蒸発防止効果が大きくなり過ぎて、逆に被記録材上でのインクの速乾性を妨げることになり、不規則な滲みの発生を瞬時に抑制できなくなるという被記録材上での問題が生じるので、好ましくは１重量％〜２５重量％、より好ましくは３〜１０重量％である。
【００１７】
使用できる染料としては、従来のインクジェット記録用インクに用いられている直接染料、酸性染料、反応性染料などに代表される公知の水溶性染料が挙げられる。具体的には、イエロー系直接染料として、Ｃ．Ｉ．ダイレクトイエロー１、同８、同１１、同１２、同２４、同２６、同２７、同２８、同３３、同３９、同４４、同５０、同５８、同８５、同８６、同８７、同８８、同８９、同９８、同１００、同１１０、マゼンタ系の直接染料としてＣ．Ｉ．ダイレクトレッド１、同２、同４、同９、同１１、同１３、同１７、同２０、同２３、同２４、同２８、同３１、同３３、同３７、同３９、同４４、同４６、同６２、同６３、同７５、同７９、同８０、同８１、同８３、同８４、同８９、同９５、同９９、同１１３、同１９７、同２０１、同２１８、同２２０、同２２４、同２２５、同２２６、同２２７、同２２８、同２２９、同２３０、同３２１、シアン系の直接染料として、Ｃ．Ｉ．ダイレクトブルー１、同２、同６、同８、同１５、同２２、同２５、同４１、同７１、同７６、同７７、同７８、同８０、同８６、同９０、同９８、同１０６、同１０８、同１２０、同１５８、同１６０、同１６３、同１６５、同１６８、同１９２、同１９３、同１９４、同１９５、同１９６、同１９９、同２００、同２０１、同２０２、同２０３、同２０７、同２２５、同２２６、同２３６、同２３７、同２４６、同２４８、同２４９、ブラック系の直接染料として、Ｃ．Ｉ．ダイレクトブラック１７、同１９、同２２、同３２、同３８、同５１、同５６、同６２、同７１、同７４、同７５、同７７、同９４、同１０５、同１０６、同１０７、同１０８、同１１２、同１１３、同１１７、同１１８、同１３２、同１３３、同１４６が好ましく例示される。
【００１８】
また、イエロー系の酸性染料として、Ｃ．Ｉ．アシッドイエロー１、同３、同７、同１１、同１７、同１９、同２３、同２５、同２９、同３６、同３８、同４０、同４２、同４４、同４９、同５９、同６１、同７０、同７２、同７５、同７６、同７８、同７９、同９８、同９９、同１１０、同１１１、同１１２、同１１４、同１１６、同１１８、同１１９、同１２７、同１２８、同１３１、同１３５、同１４１、同１４２、同１６１、同１６２、同１６３、同１６４、同１６５、マゼンタ系の酸性染料として、Ｃ．Ｉ．アシッドレッド１、同６、同８、同９、同１３、同１４、同１８、同２６、同２７、同３２、同３５、同３７、同４２、同５１、同５２、同５７、同７５、同７７、同８０、同８２、同８３、同８５、同８７、同８８、同８９、同９２、同９４、同９７、同１０６、同１１１、同１１４、同１１５、同１１７、同１１８、同１１９、同１２９、同１３０、同１３１、同１３３、同１３４、同１３８、同１４３、同１４５、同１５４、同１５５、同１５８、同１６８、同１８０、同１８３、同１８４、同１８６、同１９４、同１９８、同１９９、同２０９、同２１１、同２１５、同２１６、同２１７、同２１９、同２４９、同２５２、同２５４、同２５６、同２５７、同２６２、同２６５、同２６６、同２７４、同２７６、同２８２、同２８３、同３０３、同３１７、同３１８、同３２０、同３２１、同３２２、シアン系の酸性染科として、Ｃ．Ｉ．アシッドブルー１、同７、同９、同１５、同２２、同２３、同２５、同２７、同２９、同４０、同４１、同４３、同４５、同５４、同５９、同６０、同６２、同７２、同７４、同７８、同８０、同８２、同８３、同９０、同９２、同９３、同１００、同１０２、同１０３、同１０４、同１１２、同１１３、同１１７、同１２０、同１２６、同１２７、同１２９、同１３０、同１３１、同１３８、同１４０、同１４２、同１４３、同１５１、同１５４、同１５８、同１６１、同１６６、同１６７、同１６８、同１７０、同１７１、同１７５、同１８２、同１８３、同１８４、同１８７、同１９２、同１９９、同２０３、同２０４、同２０５、同２２９、同２３４、同２３６、ブラック系の酸性染科として、Ｃ．Ｉ．アシッドブラック１、同２、同７、同２４、同２６、同２９、同３１、同４４、同４８、同５０、同５１、同５２、同５８、同６０、同６２、同６３、同６４、同６７、同７２、同７６、同７７、同９４、同１０７、同１０８、同１０９、同１１０、同１１２、同１１５、同１１８、同１１９、同１２１、同１２２、同１３１、同１３２、同１３９、同１４０、同１５５、同１５６、同１５７、同１５８、同１５９、同１９１等を好ましく例示することができる。
【００１９】
これらの染料の使用量については特に制限されるものではないが、一般的にはインクジェット記録用インク中に０．１〜１５重量％の範囲が好適である。
【００２０】
また、本発明のインクジェット記録用インクは溶媒として水を含有するが、更に水溶性有機溶剤を併用することができる。このような水溶性有機溶剤としては、脂肪族一価アルコールや、多価アルコールや多価アルコール誘導体等が挙げられる。ここで、脂肪族一価アルコールは、インクジェット記録用インクの表面張力を調整し、普通紙、専用紙等の被記録媒体への浸透性、ドット形成性、印刷された画像の乾燥性を向上させる効果を有する。一方、多価アルコール又はその誘導体は、蒸発し難く、インクジェット記録用インクの氷点を下げる効果を有するために、インクジェット記録用インクの保存安定性を高め、プリンタ装置のノズルの目詰まりを防止する等の効果を有している。
【００２１】
脂肪族一価アルコールとしては、メチルアルコール、エチルアルコール、ｎ−プロピルアルコール、ｉ−プロピルアルコール、ｎ−ブチルアルコール、ｓ−ブチルアルコール、ｔ−ブチルアルコール等の低級アルコールが挙げられる。中でも、エチルアルコール、ｉ−プロピルアルコール、ｎ−ブチルアルコールを好ましく使用できる。
【００２２】
また、多価アルコールとしては、エチレングリコール、ジエチレングリコール、トリエチレングリコール、プロピレングリコール、ブチレングリコール、グリセロール等のアルキレングリコール類、ポリエチレングリコール、ポリプロピレングリコール等のポリアルキレングリコール類、チオジグリコール等が挙げられる。
【００２３】
また、多価アルコール誘導体としては、エチレングリコールジメチルエーテル等の上述した多価アルコールの低級アルキルエーテル類、エチレングリコールジアセテート等の上述した多価アルコールの低級カルボン酸エステル類等が挙げられる。
【００２４】
本発明のインクジェット記録用インクには、染料や水、水溶性有機溶剤以外にも、必要に応じて界面活性剤、ｐＨ調整剤、防腐剤、キレート剤などの公知の添加剤を配合することができる。
【００２５】
本発明のインクジェット記録用インクは、染料、水、必要に応じ、水溶性有機溶剤等を常法により均一に混合することにより製造することができる。
【００２６】
本発明のインクジェット記録用インクは、熱エネルギーを吐出エネルギーとする公知のサーマル方式インクジェットプリンタのインクジェットヘッドの吐出ノズルから、記録紙に吐出させて画像を形成するインクジェット記録方法に好ましく適用することができる。また、圧電素子を用いるピエゾ方式インクジェットプリンタを用いたインクジェット記録方法にも適用できる。
【００２７】
【実施例】
以下に、本発明を実施例により具体的に説明する。
【００２８】
なお、実施例１〜６、１３で使用した式（１）のトリメチロールメタン誘導体（ＴＭＰ−６０、日本乳化剤社）は、Ｒがメチルの化合物であり、実施例７〜１２、１４で使用した式（１）のトリメチロールメタン誘導体（ＰＮＴ−６０、日本乳化剤社）は、ＲがＨ（ＯＣＨ２ＣＨ２）ｐＯ−基の化合物である。
【００２９】
実施例１〜６
表１〜表６の各表に示された成分を、十分攪拌しながら混合し、得られた混合物を、ポアサイズ０．４５μｍのフロロポアフィルターにて加圧濾過し、実施例１〜６のインクジェット記録用インクを調製した。
【００３０】
【表１】
2004059760.tif 000003
【００３１】
【表２】
2004059760.tif 000004
【００３２】
【表３】
2004059760.tif 000005
【００３３】
【表４】
2004059760.tif 000006
【００３４】
【表５】
2004059760.tif 000007
【００３５】
【表６】
2004059760.tif 000008
【００３６】
実施例７〜１２
実施例１〜６のインク組成から式（１）のトリメチロールメタン誘導体（Ｒ＝メチル基）に代えて、式（１）のトリメチロールメタン誘導体（Ｒ＝Ｈ（ＯＣＨ２ＣＨ２）ｐＯ−基）に代える以外は、実施例１と同様の操作にて、実施例７〜１２のインクジェット記録用インクを調製した。
【００３７】
実施例１３
表７に示された成分を、十分攪拌しながら混合し、得られた混合物を、ポアサイズ０．４５μｍのフロロポアフィルターにて加圧濾過し、実施例１３のインクジェット記録用インクを調製した。
【００３８】
【表７】
2004059760.tif 000009
【００３９】
実施例１４
実施例１３のインク組成から式（１）のトリメチロールメタン誘導体（Ｒ＝メチル基）に代えて、式（１）のトリメチロールメタン誘導体（Ｒ＝Ｈ（ＯＣＨ２ＣＨ２）ｐＯ−基）に代える以外は、実施例１３と同様の操作にて、実施例１４のインクジェット記録用インクを調製した。
【００４０】
比較例１
実施例１のインク組成から式（１）のトリメチロールメタン誘導体を除き、その除去分を水で補填した以外は、実施例１と同様の操作にて、インクジェット記録用インクを調製した。
【００４１】
比較例２
実施例１のインク組成から式（１）のトリメチロールメタン誘導体を除き、その除去分をエチレングリコールで補填した以外は、実施例１と同様の操作にて、インクジェット記録用インクを調製した。
【００４２】
比較例３
実施例２のインク組成から式（１）のトリメチロールメタン誘導体を除き、その除去分を水で補填した以外は、実施例２と同様の操作にて、インクジェット記録用インクを調製した。
【００４３】
比較例４
実施例２のインク組成から式（１）のトリメチロールメタン誘導体を除き、その除去分をエチレングリコールで補填した以外は、実施例２と同様の操作にて、インクジェット記録用インクを調製した。
【００４４】
比較例５
実施例２のインク組成から式（１）のトリメチロールメタン誘導体を除き、その除去分をジエチレングリコールで補填した以外は、実施例２と同様の操作にて、インクジェット記録用インクを調製した。
【００４５】
比較例６
実施例２のインク組成から式（１）のトリメチロールメタン誘導体を除き、その除去分をイソプロピルアルコールで補填した以外は、実施例２と同様の操作にて、インクジェット記録用インクを調製した。
【００４６】
比較例７
実施例３のインク組成から式（１）のトリメチロールメタン誘導体を除き、その除去分を水で補填した以外は、実施例３と同様の操作にて、インクジェット記録用インクを調製した。
【００４７】
比較例８
実施例３のインク組成から式（１）のトリメチロールメタン誘導体を除き、その除去分をエチルアルコールで補填した以外は、実施例３と同様の操作にて、インクジェット記録用インクを調製した。
【００４８】
比較例９
実施例４のインク組成から式（１）のトリメチロールメタン誘導体を除き、その除去分を水で補填した以外は、実施例４と同様の操作にて、インクジェット記録用インクを調製した。
【００４９】
比較例１０
実施例４のインク組成から式（１）のトリメチロールメタン誘導体を除き、その除去分をジエチレングリコールで補填した以外は、実施例４と同様の操作にて、インクジェット記録用インクを調製した。
【００５０】
比較例１１
実施例４のインク組成から式（１）のトリメチロールメタン誘導体を除き、その除去分を１，３−プロパンジオールで補填した以外は、実施例４と同様の操作にて、インクジェット記録用インクを調製した。
【００５１】
比較例１２
実施例５のインク組成から式（１）のトリメチロールメタン誘導体を除き、その除去分を水で補填した以外は、実施例５と同様の操作にて、インクジェット記録用インクを調製した。
【００５２】
比較例１３
実施例５のインク組成から式（１）のトリメチロールメタン誘導体を除き、その除去分を２−ピロリドンで補填した以外は、実施例５と同様の操作にて、インクジェット記録用インクを調製した。
【００５３】
比較例１４
実施例５のインク組成から式（１）のトリメチロールメタン誘導体を除き、その除去分をエチルアルコールで補填した以外は、実施例５と同様の操作にて、インクジェット記録用インクを調製した。
【００５４】
比較例１５
実施例６のインク組成から式（１）のトリメチロールメタン誘導体を除き、その除去分を水で補填した以外は、実施例６と同様の操作にて、インクジェット記録用インクを調製した。
【００５５】
比較例１６
実施例６のインク組成から式（１）のトリメチロールメタン誘導体を除き、その除去分をグリセリンで補填した以外は、実施例６と同様の操作にて、インクジェット記録用インクを調製した。
【００５６】
比較例１７
実施例６のインク組成から式（１）のトリメチロールメタン誘導体を除き、その除去分をエチルアルコールで補填した以外は、実施例６と同様の操作にて、インクジェット記録用インクを調製した。
【００５７】
（評価）
実施例１〜１４及び比較例１〜１７のそれぞれのインクジェット記録用インクを、発熱素子をインクの吐出エネルギー源として利用したインクジェットプリンタ（ＭＰＲ−５０１、ソニー（株））に搭載し、普通紙に対して印字を行った。プリント一時停止後の再プリント時の目詰り及び長期停止後の再プリント時の目詰まり回復性を以下に説明するように試験・評価した。得られた結果を表８〜表１０に示す。
【００５８】
プリント一時停止後の再プリント時の目詰まり評価試験▲１▼（通常室内）
２０±５℃、５０±１０％ＲＨの環境下において１０分間連続して英数文字を印字した後、プリントを停止し、インクジェットヘッドにキャップを装着しない状態で１０分間放置した後、再び英数文字を印字し、得られた印字物中の文字のカスレ、欠け等の不良箇所の有無を目視にて観察し、以下の基準にてランク分けした。
ランク　　判定基準
Ａ：　一文字目から不良箇所がない場合
Ｂ：　一文字目の一部がカスレ又は欠ける場合
Ｃ：　一文字目が全く印字できない場合
【００５９】
プリント一時停止後の再プリント時の目詰まり評価試験▲２▼（低湿度環境）
２５℃、１０±５％ＲＨの環境下において１０分間連続して英数文字を印字した後、プリントを停止し、インクジェットヘッドにキャップを装着しない状態で１０分間放置した後、再び英数文字を印字し、得られた印字物中の文字のカスレ、欠け等の不良箇所の有無を目視にて観察し、上述の目詰まり評価試験▲１▼と同様にランク分けした。
【００６０】
プリント長期停止後の再プリント時の目詰りの回復性評価試験▲３▼
６０±５℃、５０±１０％ＲＨの環境下において１０分間連続して英数文字を印字した後、プリントを停止し、インクジェットヘッドにキャップを装着しない状態で７日間放置した後、ノズルの回復操作（条件　ＭＰＲ−５０１のメンテナンス基本動作）を行い、何回の操作回数で文字のカスレ、欠け等のない正常な印字が得られるかを判定し、以下の基準にてランク分けした。
ランク　　判定基準
Ａ：　１乃至５回の回復操作で正常な印字が可能な場合
Ｂ：　６乃至１０回の回復操作で正常な印字が可能な場合
Ｃ：　１１回以上の回復操作で正常な印字が可能な場合
【００６１】
【表８】
2004059760.tif 000010
【００６２】
【表９】
2004059760.tif 000011
【００６３】
【表１０】
2004059760.tif 000012
【００６４】
表８及び表１０から分かるように、式（１）のトリメチロールメタン誘導体を含有する実施例１〜１２のインクジェット記録用インクは、２０±５℃、５０±１０％ＲＨという通常の室内環境下及び２５℃、１０±５％ＲＨという低湿度環境下において、溶媒の種類が異なっていても、プリント一時停止後の再プリント時の目詰まりは観察されなかった。しかも、プリント長期停止後の再プリント時の目詰りも５回以内の回復操作で解消しており、良好な回復性を示していた。
【００６５】
一方、式（１）のトリメチロールメタン誘導体を含有しない比較例１〜１４のインクジェット記録用インクは、２０±５℃、５０±１０％ＲＨという通常の室内環境下又は２５℃、１０±５％ＲＨという低湿度環境下において、溶媒の種類によってプリント一時停止後の再プリント時の目詰まりが観察された。また、プリント長期停止後の再プリント時の目詰りの解消に、１１回以上の回復操作が必要となり、回復性に問題があった。
【００６６】
また、式（１）のトリメチロールメタン誘導体を含有しないが、グリセリンを含有する比較例１５〜１７のインクジェット記録用インクは、２０±５℃、５０±１０％ＲＨという通常の室内環境下でのプリント一時停止後の再プリント時の目詰まりは観察されず、しかも、プリント長期停止後の再プリント時の目詰りも５回以内の回復操作で解消しており、良好な回復性を示していた。しかし、２５℃、１０±５％ＲＨという低湿度環境下において、プリント一時停止後の再プリント時の目詰まりが観察された。
【００６７】
なお、表９の実施例１３及び１４の結果から、式（１）のトリメチロールメタン誘導体のインクジェット記録用インク中の含有量（０．５重量％）が少なすぎると、２５℃、１０±５％ＲＨという低湿度環境下において、プリント一時停止後の再プリント時の目詰まりが生ずる傾向があることがわかる。従って、実施例６（１重量％）の結果、実施例３（２５重量％）の結果を勘案すると、式（１）のトリメチロールメタン誘導体のインクジェット記録用インク中の好ましい含有量が１〜２５重量％であることがわかる。
【００６８】
【発明の効果】
本発明のインクジェット記録用インクは、記録紙に印画濃度が十分に満たされる染料の濃度において、プリンタの一時停止および長期停止などにおいてインクジェットプリンタヘッドの目詰まりを防止でき、万一目詰まりが生じた場合でも良好な回復性（再吐出）を示す、保存安定性に優れたものである。